(57)【要約】【課題】カバー部材を固定盤から容易に取り外し可能としながらも、使用中の意図しない当該カバー部材の脱落を防止したエアゾール容器用肩カバーを提供する。【解決手段】マウンティングカップ２ｂに直接取り付けられる固定盤１０と、固定盤１０に設けた係合孔１８に着脱自在に係止される爪部Ｔ、及び、押圧力を付与することによってノズル３０を押し下げる操作部２３を有するカバー部材２０と、を備え、爪部Ｔは、カバー部材２０の側壁２５を下端から切り欠く一対の縦スリット２６によって形成される弾性片２７と、弾性片２７の先端外壁面に設けられる突起２８とで構成され、爪部Ｔを除くカバー部材２０の側壁２５内面、及び固定盤１０の側壁１６ａ外面の何れか一方側から突出し、他方側への当接により該カバー部材２０の側壁２５の径方向内側への変形を防止する支持部５０を有することを特徴とする。【選択図】図４
2016033042.tif 000002
【特許請求の範囲】
【請求項１】
エアゾール容器のマウンティングカップに装着され、該エアゾール容器のステムに着脱自在に取り付けられたノズルを覆うエアゾール容器用肩カバーであって、
前記マウンティングカップに設けた凹部に係合する凸部を備え、前記マウンティングカップに直接取り付けられる固定盤と、
該固定盤に形成された係合孔に着脱自在に係止される爪部、及び、押圧力を付与することによって前記ノズルを押し下げる操作部を有するカバー部材と、を備え、
前記爪部は、前記カバー部材の側壁を下端から切り欠く一対の縦スリットによって形成される弾性片と、該弾性片の先端部外壁面に設けられる突起とで構成され、
前記爪部を除く前記カバー部材の側壁内面、及び前記固定盤の側壁外面の何れか一方側から突出し、他方側への当接により該カバー部材の側壁の径方向内側への変形を防止する支持部を有することを特徴とするエアゾール容器用肩カバー。
【請求項２】
前記エアゾール容器の中心軸線を挟む対向配置で一対の前記爪部が設けられ、
前記支持部は、該一対の爪部を形成する縦スリットに隣接する位置に設けられている、請求項１に記載のエアゾール容器用肩カバー。
【請求項３】
前記支持部は、前記一対の縦スリットに沿って前記爪部の両側に設けられた一対の縦リブである、請求項１又は２に記載のエアゾール容器用肩カバー。
【発明の詳細な説明】
【技術分野】
【０００１】
本発明は、エアゾール容器のマウンティングカップに装着されて、該容器のステムに取り付けられるノズルを覆うエアゾール容器用肩カバーに関する。
【背景技術】
【０００２】
従来、内容物とともに加圧ガスを収容しておき、ステムを押し下げることで内容物を外部に吐出させるようにしたエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器（例えば特許文献２）が知られている。
【先行技術文献】
【特許文献】
【０００３】
【特許文献１】特開２００５−４１５１０号公報
【特許文献２】特開２０１２−３０８８６号公報
【発明の概要】
【発明が解決しようとする課題】
【０００４】
このようなエアゾール容器では、ステムに着脱自在に装着されるノズルの脱落を防止し、また、容器の装飾効果を高めるために、そのマウンティングカップに肩カバー（主筒部材やアクチュエータ本体と称することもある）が装着されるのが一般的である。
【０００５】
このような肩カバーは、例えば図６（ａ）〜（ｃ）に示すように、エアゾール容器１０２のマウンティングカップ１０２ｂに固定される固定盤１１０と、該固定盤１１０に着脱自在に取り付けられてノズル１３０を覆うカバー部材１２０とを備え、カバー部材１２０には操作部１２３が設けられ、この操作部１２３に押圧力を付与することにより、ノズル１３０を押し下げて内容物を外部に吐出可能な構成とされている。
【０００６】
このような肩カバー１００においては、使用後にノズル１３０を洗浄する際など、カバー部材１２０を固定盤１１０から取り外すことがある。このため、カバー部材１２０の左右両側には、側壁から下方に延びて外面に形成された突起で固定盤１１０に係合する爪部Ｔが設けられており、指で挟むように左右両側の爪部Ｔを内側に押し込むことで、カバー部材１２０を固定盤１１０から容易に取り外すことができる構成とされている。
【０００７】
しかしながら、このような肩カバー１００を備えたエアゾール容器１０２を使用する際、操作部１２３を押し下げると、ステムからの反力を受けてカバー部材１２０には図６（ａ）に矢印で示すような上向きの力が働き、カバー部材１２０の側壁１２５が、図６（ｂ）に矢印で示すように、前後方向においては径方向外側に、左右方向においては径方向内側に変形する。その結果、図６（ｃ）に矢印で示すように、カバー部材１２０の左右両側の側壁１２５と共に爪部Ｔが径方向内側に変形して、固定盤１１０に対する掛かり代が小さくなって係合が弱まり、意図せずカバー部材１２０が固定盤１１０から外れてしまう虞があった。また、操作部１２３の押圧時に容器を把持する手によってカバー部材１２０の側壁１２５が径方向内側に押圧される場合もあり、その場合にはさらにカバー部材１２０が固定盤１１０から外れ易くなってしまうという問題があった。
【０００８】
それゆえ本発明は、カバー部材を固定盤から容易に取り外し可能としながらも、使用中に意図せずカバー部材が外れてしまうことを防止したエアゾール容器用肩カバーを提供することを目的とする。
【課題を解決するための手段】
【０００９】
本発明は、上記課題を解決するためになされたものであり、本発明のエアゾール容器用肩カバーは、エアゾール容器のマウンティングカップに装着され、該エアゾール容器のステムに着脱自在に取り付けられたノズルを覆うエアゾール容器用肩カバーであって、
前記マウンティングカップに設けた凹部に係合する凸部を備え、前記マウンティングカップに直接取り付けられる固定盤と、
該固定盤に形成された係合孔に着脱自在に係止される爪部、及び、押圧力を付与することによって前記ノズルを押し下げる操作部を有するカバー部材と、を備え、
前記爪部は、前記カバー部材の側壁を下端から切り欠く一対の縦スリットによって形成される弾性片と、該弾性片の先端部外壁面に設けられる突起とで構成され、
前記爪部を除く前記カバー部材の側壁内面、及び前記固定盤の側壁外面の何れか一方側から突出し、他方側への当接により該カバー部材の側壁の径方向内側への変形を防止する支持部を有することを特徴とする。
【００１０】
また、本発明のエアゾール容器用肩カバーにあっては、前記エアゾール容器の中心軸線を挟む対向配置で一対の前記爪部が設けられ、前記支持部は、該一対の前記爪部を形成する縦スリットに隣接する位置に設けられていることが好ましい。
【００１１】
また、本発明のエアゾール容器用肩カバーにあっては、前記支持部は、前記一対の縦スリットに沿って前記爪部の両側に設けられた一対の縦リブであることが好ましい。
【発明の効果】
【００１２】
本発明によれば、カバー部材を固定盤から容易に取り外し可能としながらも、使用中に意図せずカバー部材が外れてしまうことを防止したエアゾール容器用肩カバーを提供することが可能となる。
【図面の簡単な説明】
【００１３】
【図１】本発明の一実施形態であるエアゾール容器用肩カバーの、エアゾール容器に装着された状態における側面視での断面図（エアゾール容器は側面図）である。
【図２】図１に示すエアゾール容器用肩カバーの正面視での半断面図（エアゾール容器は正面図）である。
【図３】図１に示すエアゾール容器用肩カバーのエアゾール容器に装着された状態の側面図である。
【図４】（ａ）は、図１に示すエアゾール容器用肩カバーにおけるカバー部材の底面図であり、（ｂ）は、図４（ａ）に示すカバー部材のＡ−Ａ断面を示す部分断面図である。
【図５】図１に示すノズルの組み立て前の状態を示す断面図である。
【図６】（ａ）は、従来のエアゾール容器用肩カバーの、エアゾール容器に装着された状態における側面視での断面図であり、（ｂ）は図６（ａ）のエアゾール容器用肩カバーの平面図であり、（ｃ）は、図６（ａ）のエアゾール容器用肩カバーの、正面視での半断面図である。
【発明を実施するための形態】
【００１４】
以下、図面を参照して、本発明をより具体的に例示説明する。なお、本明細書、特許請求の範囲、要約書及び図面において、「正面側」とは、図１において、ノズルの吐出口が位置する側であり、「背面側」とは、その反対側である。また、「左側」、「右側」とは、正面側から背面側に向かって見る際の左右方向をいう。そして「上側」とは、図１において、エアゾール容器に対してノズルが位置する側であり、「下側」とは、その反対側である。
【００１５】
図１〜図４において、符号１は、本発明に従うエアゾール容器用肩カバー（以下、単に「肩カバー」と称す場合もある）の一実施形態であり、符号２は、肩カバー１を装着するエアゾール容器（以下、単に「容器」と称す場合もある）である。肩カバー１は、固定盤１０及びカバー部材２０を有している。また符号３０は、ノズルである。
【００１６】
エアゾール容器２は、例えば金属製や合成樹脂製となる有底筒状の容器本体２ａに、金属製となるマウンティングカップ２ｂを、その外縁を巻き締め等して固着したものであり、その内部には２種類の内容物が別個に収容されている。また容器２は、それぞれの内容物の収容空間につながる総計２本のステム２ｃを有している。
【００１７】
マウンティングカップ２ｂの中央部には、その上面からステム２ｃを突出させるとともに平面視にてトラック状になる上段突起部２ｄと、上段突起部２ｄの長辺と略同一長さの直径を有し、上段突起部２ｄに連結する中段突起部２ｅと、中段突起部２ｅよりも大径であって中段突起部２ｅに連結する下段突起部２ｆとが設けられている。また、中段突起部２ｅの根元には環状となる中段凹部２ｇが設けられ、下段突起部２ｆの根元には環状となる下段凹部２ｈが設けられている。なお、上段突起部２ｄの平面視での形状は、矩形状でも楕円状でもよい。
【００１８】
図１に示すように、固定盤１０は、中央部に２本のステム２ｃを露出させる開口１１を有する天壁１２を備えている。開口１１は、上段突起部２ｄに対応する形状をなし平面視でトラック状となっていて、天壁１２の内縁には、上段突起部２ｄを取り囲むように垂下される内側環状壁１３を備えている。また、内側環状壁１３の下端においてその正面側及び背面側には、薄肉舌片１３ａを設けている。薄肉舌片１３ａは、固定盤１０をマウンティングカップ２ｂに装着する前は、内側環状壁１３に沿って下向きに延在するものであるが、装着によって図１に示すように径方向外側に向かって折り曲げられるものである。
【００１９】
天壁１２の外縁には、中段突起部２ｅを取り囲むように垂下される中間環状壁１４を設けている。図２に示すように、中間環状壁１４は、容器２の右側及び左側において内側環状壁１３に連続し且つ中段突起部２ｅに接するように形成されている。そして中間環状壁１４の下端には、下段突起部２ｆの上面に接するとともに径方向外側に向けて延在する上部フランジ１５が設けられていて、上部フランジ１５の下面には、下段突起部２ｆと全周に亘って接する内部環状壁１５ａを設けている。図１に示すように、内部環状壁１５ａの内面には、マウンティングカップ２ｂの下段凹部２ｈに係合する凸部１５ｂを間欠状に設けている。なお、凸部１５ｂを、内部環状壁１５ａの全周に亘って設けてもよい。また、上部フランジ１５の外縁には、下方に向けて延在する外側環状壁（側壁）１６ａと、外側環状壁１６ａの下端から径方向外側に延在する下部フランジ１６ｂとからなる段部１６を設けていて、下部フランジ１６ｂの外縁には、マウンティングカップ２ｂの外縁に向けて垂下される環状の外壁１７を設けている。図２に示すように、段部１６には、上部フランジ１５の一部、外側環状壁１６ａ、及び下部フランジ１６ｂの一部を切り欠く係合孔１８を設けている。なお係合孔１８は、固定盤１０の左側にも同様にして設けられている。
【００２０】
カバー部材２０は、ノズル３０の上方で水平方向に延在する頂壁２１を備えている。頂壁２１には、その中央部から背面側に向かって頂壁２１の一部を取り除く切り欠き部２１ａを設けていて、切り欠き部２１ａの内縁には、下方に向けて延在する内側周壁２２を設けている。また、切り欠き部２１ａには、ノズル３０の押し下げに供する操作部２３を設けていて、操作部２３は薄肉のヒンジ２４を介して内側周壁２２の正面側に一体連結している。操作部２３の上面は下方に向けて湾曲していて、更に左右方向に向けて延在する滑り止め用のリブ２３ａ（本実施形態では４つ）を備えている。
【００２１】
カバー部材２０の左側及び右側には、頂壁２１の外縁から下方に向けて延在する外側周壁（側壁）２５を設けている。一方、カバー部材２０の正面側には、図１に示すように、頂壁２１の正面側縁部に連結するとともに背面側から正面側に向けて傾く傾斜壁２５ａと、傾斜壁２５ａの下端から水平方向に延在して外側周壁２５につながる正面側水平壁２５ｂとを設け、また、カバー部材２０の背面側には、正面側水平壁２５ｂと略同じ高さで延在して外側周壁２５につながる背面側水平壁２５ｃを設けている。また、カバー部材２０の正面側には、ノズル３０を突出させる窓孔２５ｄを設けていて、外側周壁２５の下端には、径方向外側へ向けて延在するフランジ２５ｅを設けている。
【００２２】
図３に示すように、外側周壁２５の右側には、外側周壁２５の下端から上方に向けて外側周壁２５を切り欠く一対の縦スリット２６が間隔を空けて設けられ、これにより縦スリット２６の間に弾性片２７を形成している。弾性片２７は、その上端において外側周壁２５に連結されるとともに下端が外側周壁２５の下端よりも下方に突出する板状に形成され、外側周壁２５への連結部分を支点として弾性変形することができる。また、弾性片２７の先端外壁面には突起２８を設けていて、突起２８の下端部外側には傾斜面２８ａを設けている。これら弾性片２７、及び突起２８で爪部Ｔが構成されている。なお、爪部Ｔは、外側周壁２５の左側にも同様に設けられていて、２つの爪部Ｔは、容器２の中心軸線Ｍを挟んで対向配置で設けられている。また、図２に示すように内側周壁２２と外側周壁２５との間には、頂壁２１の下面より垂下され、固定盤１０の上部フランジ１５上面に当接する中間壁２９を設け、中間壁２９には、内側環状壁１３の上面に当接する補強リブ２９ａを設けている。
【００２３】
図４（ａ）に示すように、本実施形態のカバー部材２０には、爪部Ｔを除く外側周壁２５の内面から中心軸線に向けて突出する縦リブ（支持部）５０が設けられている。本実施形態において、縦リブ５０は、２つの爪部Ｔに対応して、それぞれの爪部Ｔの両側（周方向外側）、合計４箇所に設けられ、一対の縦スリット２６に隣接した位置で、縦スリット２６に沿って上下方向に延びている。
【００２４】
図４（ｂ）に示すようにカバー部材２０が固定盤１０に装着された状態で、縦リブ５０は、固定盤１０の外側環状壁１６ａの外面に当接して、外側周壁２５の内側への変形を防止する。なお、カバー部材２０が固定盤１０に装着された状態において、縦リブ５０と外側環状壁１６ａの外面との間に隙間を有する構成として、外側周壁２５が径方向内側に所定量変形した際に縦リブ５０が外側環状壁１６ａの外面に当接して、それ以上の変形を防止する構成としても良い。この場合、当該隙間を適宜設定することにより、許容する外側周壁２５の変形量を予め設定することができる。
【００２５】
なお、本実施形態においては、支持部を爪部Ｔの両側に設けられた一対の縦リブ５０で構成したが、外側環状壁１６ａの外面に当接して、外側周壁２５の径方向内側への変形を防止することが可能であれば、支持部の形状、位置、数は特に限定されるものではなく、爪部の両側ではなく何れか一方側のみに設けても良い。また、支持部は、外側環状壁１６ａの外面から突出し、外側周壁２５の内面に当接することで、外側周壁２５の径方向内側への変形を防止する構成としても良い。支持部は、弾性片２７の径方向内側への弾性変形を妨げることのないよう、爪部Ｔの弾性片２７を除いた位置に設けるものとする。
【００２６】
ノズル３０は、図５に示すように、薄肉状のヒンジ３１を介して下部部材３２と上部部材３３とを一体連結したものであり、ヒンジ３１に沿って折り曲げることで、図１、図２に示す形態をなすものである。
【００２７】
下部部材３２は、図５に示すように、板状となる基部３２ａの下面に、ステム２ｃの外径に対応する内径となる円筒部３２ｂを備えていて、円筒部３２ｂの内側には、貫通孔３２ｃを有する内部壁３２ｄを備えている。なお、円筒部３２ｂ、貫通孔３２ｃ、及び内部壁３２ｄからなる組みは、図２を参照して明らかなように、ステム２ｃに対応させて総計２組設けられている。基部３２ａの上面には環状部３２ｅが設けられていて、図１及び図２に示すように環状部３２ｅは、正面側から背面側に向かう距離よりも左右間の距離が長くなっている。また、図２に示すように環状部３２ｅの中央部には、間隔をあけて設けた一対の中間壁３２ｆを設けている。更に基部３２ａの上面正面側には、図５に示すように爪状の下部係合部３２ｇを設けている。
【００２８】
上部部材３３は、ヒンジ３１に沿って折り曲げることで、環状部３２ｅを内側に収めるとともにこれに覆い被さる箱状部３３ａを備えている。箱状部３３ａの中央部には、箱状部３３ａの内側を２つに区画する仕切壁３３ｂを設けている。また、箱状部３３ａの上面側（図１に示すように、ノズル３０を組み立てた際の上面側）には、側面視で半円状となる半円リブ３３ｃを設けていて（本実施形態では、左右方向に間隔をあけて総計２つ）、箱状部３３ａの正面側（ノズル３０を組み立てた際の正面側）には、その先端開口を内容物の外界への吐出口３３ｄとする筒状部３３ｅを設けている。本実施形態では仕切壁３３ｂを、箱状部３３ａと筒状部３３ｅとの境界よりも吐出口３３ｄ側へ延長している。更に、筒状部３３ｅの下側（ノズル３０を組み立てた際の下側）には、下部係合部３２ｇに対応する爪状となる上部係合部３３ｆを設けている。
【００２９】
そして、上述したようにヒンジ３１に沿って折り曲げることで、下部係合部３２ｇと上部係合部３３ｆとが係合して、２つ折り状態を維持することができる。また、環状部３２ｅと箱状部３３ａとが嵌め合わさることで、基部３２ａと箱状部３３ａとの内側には内部空間が形成される一方、仕切壁３３ｂは、対をなす中間壁３２ｆ間に挟まれて、この内部空間は、それぞれに貫通孔３２ｃがつながる２つの空間に区画される。更にこの２つの空間は、仕切壁３３ｂを越えた吐出口３３ｄ側の筒状部３３ｅの内側において合流している。すなわち、２つ折り状態となったノズル３０の内側には、下流側（ステム２ｃ側）では２つに分かれ、上流側（吐出口３３ｄ）では合流して１つになる通路Ｒが形成されている。
【００３０】
上記のように構成される各部材を容器に取り付けるにあたっては、まず固定盤１０をマウンティングカップ２ｂに装着する。前述のように薄肉舌片１３ａは、内側環状壁１３の正面側及び背面側に設けられるとともに、固定盤１０をマウンティングカップ２ｂに装着する前では、内側環状壁１３に沿って下向きに延在するものである。
【００３１】
次いで、２つ折り状態に組み立てたノズル３０を上方から、円筒部３２ｂをステム２ｃに位置合わせしつつ挿入する。円筒部３２ｂの内部には内部壁３２ｄを設けているので、ステム２ｃを押し込まない程度に押圧することで、ステム２ｃの上端が内部壁３２ｄの下面に当接し、ノズル３０は所定の高さで装着される。
【００３２】
その後、カバー部材２０を上方から、ノズル３０の筒状部３３ｅを窓孔２５ｄより突出させつつ、爪部Ｔを係合孔１８に位置合わせした状態で押圧して、固定盤１０に装着する。ここで、爪部Ｔの突起２８には傾斜面２８ａを設けているので、カバー部材２０を固定盤１０に対して押し付けると、爪部Ｔは傾斜面２８ａに誘導されて径方向内側に撓むため、容易に取り付けることができる。また、装着完了後は、カバー部材２０のフランジ２５ｅを、固定盤１０の段部１６に当接させているので、カバー部材２０は固定盤１０に安定して保持される。
【００３３】
このようにして各部材を取り付けたエアゾール容器２から内容物を吐出させるには、操作部２３の上面に指を当てて下方に向けて押し込む。そして、操作部２３がヒンジ２４を起点として揺動することで、操作部２３の下面が半円リブ３３ｃに押し当たり、ノズル３０とともに２本のステム２ｃを押し下げる。これにより、容器２内の２種類の内容物はそれぞれのステム２ｃから同時に噴出され、ノズル３０の内側に形成される通路Ｒを通して吐出口３３ｄから吐出される。
【００３４】
本実施形態のエアゾール容器用肩カバー１にあっては、操作部２３の押し下げに伴ってカバー部材２０に上方向の力が働き、左右両側の外側周壁２５に径方向内側に向かう力が働いた際に、縦リブ５０が外側環状壁１６ａの外面に当接することにより、外側周壁２５の径方向内側への変形を防止することができる。このため、爪部Ｔの固定盤１０への掛かり代が小さくなり係合が弱まることを防止できるので、意図せずカバー部材２０が固定盤１０から外れてしまうことを防止することが可能となる。また、操作部２３の押圧時に容器を把持する手によってカバー部材２０の側壁２５が径方向内側に押圧された場合にも、縦リブ５０が外側周壁２５の径方向内側への変形を防止するため、カバー部材２０が固定盤１０から外れてしまうことを防止することができる。
【００３５】
また、本実施形態のエアゾール容器用肩カバー１にあっては、縦リブ５０を、爪部Ｔを除く外側周壁２５の内面に設けたことにより、爪部Ｔの弾性片２７の径方向内側への弾性変形を妨げることがない。よって、爪部Ｔの弾性片２７を径方向内側に押圧することで、容易に、カバー部材２０を固定盤１０から取り外すことができる。本実施形態では、２つの爪部Ｔを、容器２の中心軸線Ｍを挟む対向配置で設けているので、これらの爪部Ｔを親指と他の指とで挟み込むように押圧することで、片手であってもカバー部材２０を取り外すことができる。そして、むき出しになったノズル３０を上方に向けて引き上げれば、ステム２ｃから簡単に取り外すことができる。
【００３６】
なお、本実施形態における縦リブ５０のように、支持部は、爪部Ｔを形成する縦スリット２６に隣接した位置に設けることが好ましく、これによれば、爪部Ｔ近傍における外側周壁２５の径方向内側への変形をより効果的に抑制することができる。また、支持部を各爪部Ｔの両側に設けることで、爪部Ｔ近傍における外側周壁２５の変形を防止する効果を高めることができる。
【００３７】
上述したところは本発明の一実施形態に過ぎず、種々の変更を加えることができる。例えば本実施形態では、マウンティングカップ２ｂの下段凹部２ｈに、固定盤１０の凸部１５ｂを係合するようにしたが、中段凹部２ｇに係合させてもよい。また、２つの爪部Ｔのうち、一方の縦スリット２６を削除して撓み不能とし、他方の爪部Ｔだけを撓むようにしてカバー部材２０の着脱を行うようにすることもでき、この場合、カバー部材２０が固定盤１０から意図せず外れてしまうことを防止する効果がさらに高まる。更に、本実施形態の肩カバー１は、２本のステムを有する容器に装着するように構成したが、シングルタイプの容器や二連式タイプの容器に採用することもできる。
【符号の説明】
【００３８】
１  肩カバー
２  エアゾール容器（容器）
２ａ  容器本体
２ｂ  マウンティングカップ
２ｃ  ステム
２ｄ  上段突起部
２ｅ  中段突起部
２ｆ  下段突起部
２ｇ  中段凹部（凹部）
２ｈ  下段凹部（凹部）
１０  固定盤
１１  開口
１２  天壁
１３  内側環状壁
１３ａ  薄肉舌片
１４  中間環状壁
１５  上部フランジ
１５ａ  内部環状壁
１５ｂ  凸部
１６  段部
１６ａ  外側環状壁（側壁）
１６ｂ  下部フランジ
１７  外壁
１８  係合孔
２０  カバー部材
２１  頂壁
２１ａ  切り欠き部
２２  内側周壁
２３  操作部
２３ａ  リブ
２４  ヒンジ
２５  外側周壁（側壁）
２５ａ  傾斜壁
２５ｂ  正面側水平壁
２５ｃ  背面側水平壁
２５ｄ  窓孔
２５ｅ  フランジ
２６  縦スリット
２７  弾性片
２８  突起
２８ａ  傾斜面
２９  中間壁
２９ａ  補強リブ
３０  ノズル
３１  ヒンジ
３２  下部部材
３２ａ  基部
３２ｂ  円筒部
３２ｃ  貫通孔
３２ｄ  内部壁
３２ｅ  環状部
３２ｆ  中間壁
３２ｇ  下部係合部
３３  上部部材
３３ａ  箱状部
３３ｂ  仕切壁
３３ｃ  半円リブ
３３ｄ  吐出口
３３ｅ  筒状部
３３ｆ  上部係合部
５０  縦リブ（支持部）
Ｍ  エアゾール容器の中心軸線
Ｔ  カバー部材の爪部
Ｒ  ノズルの通路
【図１】
2016033042.tif 000003
【図２】
2016033042.tif 000004
【図３】
2016033042.tif 000005
【図４】
2016033042.tif 000006
【図５】
2016033042.tif 000007
【図６】
2016033042.tif 000008